(57)【要約】【課題】  光ディスクに形成した画像にすじが発生したように見えるのを防止できる光ディスクヘ画像を形成する装置を提供する。【解決手段】  光ディスクヘ画像を形成する装置３００は、光ディスクの記録層に画像を形成する場合には、光ピックアップ１００から照射するレーザー光線を、周回毎に位相が異なる周期で光ディスク２００の半径方向に３行分の振幅で振動させて、周回カウンタ１３２がリセットされる８周回毎に、光ピックアップ１００を光ディスク２００の半径方向に画像の一行分移送する。また、光ピックアップ１００から照射するレーザー光線の振幅に応じた行数分の画像形成データを読み出して、周回カウンタ１３２が計数する周回数、列信号出力手段が出力する列信号、及び行信号出力手段が出力する行信号に基づいて、各画素の階調に応じた強度のレーザー光線を、光ピックアップ１００から照射させる。【選択図】  図３
2007035210.tif 000002
【特許請求の範囲】
【請求項１】
高い強度のレーザー光線に反応して変色し、低い強度のレーザー光に反応しない記録層を有する光ディスクを回転させる回転手段と、
前記光ディスクの回転周回を数え、周回数を表す周回数信号を出力し、第１の数の周回が終了するとリセットされ、また、第２の数の周回が終了すると移送を指示する移送信号を発する周回カウンタと、
画像形成データ作成手段であって、「行」と「列」からなる行列を導入し、前記「行」は、光ディスクのトラック(tangential)方向を表し、前記「列」は、光ディスクの半径方向を表し、前記「行」は第１の幅を有し、前記「列」は１周に第３の数配列され、前記行列の要素の一つ一つを画素とみなし、前記光ディスクに形成する画像と前記画素とを対応付けて、画素に対応する画像の階調を表す画像形成データを作成する画像形成データ作成手段と、
高い強度のレーザー光線あるいは低い強度のレーザー光線を前記記録層に照射する光ピックアップと、
前記レーザー光線を第１の幅より大きい第３の幅を有する振幅で列方向に振動させる、かつ、周回毎に照射軌跡を異ならしめる振動信号を光ピックアップに供給する振動信号発生器と、
前記周回カウンタが発した移送信号に応じて前記レーザー光線の振動中心を半径方向に第１の幅移動させる移送手段と、
前記光ディスクの回転量に応じて「列」に対応した信号を出力する列信号出力と、
第１の幅と振動信号の振動量とから前記振幅に含まれる「行」に対応する信号を出力する行信号出力と、
レーザー光線の前記振幅に含まれる画素の階調を列信号に応じて出力する階調出力手段と、
画素の階調と周回数とに応じて前記高い強度または低い強度のレーザー光線を前記光ピックアップに前記記録層ヘを照射させる規則を有し、前記行信号出力手段の出力と前記階調出力手段の出力とから特定される画素の階調と、前記周回カウンタの周回数信号とに応じて前記規則にしたがって光ピックアップに照射させるレーザー光線の強度を制御するパワー制御手段と、
を有する光ディスクヘ画像を形成する装置。
【請求項２】
前記移送手段は、第２の数番目の周回終了から第１の数番目の周回終了までの間にレーザー光線の振動中心を第１の幅移送することを特徴とする請求項１記載の光ディスクヘ画像を形成する装置。
【請求項３】
画像形成データを作成する画像形成データ作成手段であって、「行」と「列」からなる行列を導入し、前記「行」は、光ディスクのトラック(tangential)方向を表し、前記「列」は、光ディスクの半径方向を表し、前記「行」は第１の幅を有し、かつ第２の幅を有する第２の数の副行からなり、前記「列」は１周に第３の数配列され、前記行列の要素の一つ一つを画素とみなし、前記光ディスクに形成する画像と前記画素とを対応付けて、画素に対応する画像の階調を所定の規則にしたがってパワーレベルをあらわすコードデータに変換し、列と副行とに対応する副要素にそれぞれ配列し、副要素をセクターに対応させ該コードデータを有するセクターデータの連続体である画像形成データを作成する画像形成データ作成手段と、
高い強度のレーザー光線に反応し低い強度のレーザー光線に反応しない記録層を有する光ディスクを回転させ、第３の数のセクターデータが処理されるのに要する時間と１回転に要する時間とが同一となるように回転させる回転手段と、
前記高い強度または低い強度のレーザー光線を前記記録層に照射する光ピックアップと、
前記光ディスクの回転周回を数え、第１の数の周回が終了するとリセットされ、また、第２の数の周回が終了すると移送を指示する移送信号を発する周回カウンタと、
レーザー光線を第１の幅より大きい第３の幅を有する振幅で列方向に振動させる、かつ、周回毎に照射軌跡を異ならしめる振動信号を光ピックアップに供給する振動信号発生器と、
前記周回カウンタが出力した移送信号に応じてレーザー光線の振動中心位置を半径方向に第１の幅移動させる移送手段と、
第１の幅と振動信号の振動量とから前記振幅に含まれる「行」に対応する信号を出力する行信号出力手段と、
前記振幅内の「行」に含まれるセクターデータであって、第１の数と第３の数の積である第４の数のセクターだけ離れたセクターデータ同士を同時に出力する画像形成データ出力手段と、
前記画像形成データ出力の出力と前記行信号出力の出力とに応じて前記熱に反応する層が変化する高い強度か変化しない低い強度のいずれかで前記光ピックアップに前記熱に反応する層にレーザー光線を照射させるパワー制御手段と、
を有する光ディスクヘ画像を形成する装置。
【請求項４】
前記移送手段は、第２の数番目の周回終了から第１の数番目の周回終了までの間に、レーザー光線の振動中心を第１の幅移送することを特徴とする請求項３記載の光ディスクヘ画像を形成する装置。
【請求項５】
前記画像形成データは、第２の数番目の周回終了から第１の数番目の周回終了までの間のセクターデータが低い強度を表すコードデータとなっていることを特徴とする請求項３記載の光ディスクヘ画像を形成する装置。
【請求項６】
レーザービームの半径方向の振幅に含まれる最も外側の行として描画される場合から最も内側の行として描画される場合にわたって、それぞれの場合に対応するコードデータがセクターに含まれており、前記パワー制御手段は、それぞれの場合に対応するコードデータと前記行信号出力の出力とに応じて前記高い強度または低い強度のレーザー光線を前記光ピックアップに前記記録層へ照射させることを特徴とする請求項３記載の光ディスクヘ画像を形成する装置。
【請求項７】
第１の数と第２の数が同じであることを特徴とする請求項１または３に記載の光ディスクヘ画像を形成する装置。
【請求項８】
「行」と「列」からなる行列を導入することによって画像形成データを作成し、該行列の「行」は、光ディスクの円周(tangential)方向に相当し、「列」は、光ディスクの半径方向に相当し、前記「行」は第１の幅を有し、前記「列」は１周に第３の数配列され、前記画像形成データは、前記行列の要素の一つ一つを画素とみなし、前記光ディスクに配置される画像と画素とを対応付けて、画素に対応する画像の階調を抽出して作成される、
レーザービームを光ディスクの画像記録層へ照射し、該レーザービームの照射位置は前記第１の幅より大きい幅を有する振幅で半径法歩行に振動され、該画像記録層は高い強度のレーザービームの照射を受けると変色し、低い強度のレーザービームの照射を受けても変色しない、
画像形成データを出力し、該画像形成データは列毎に前記振幅に含まれる画素のそれぞれに対応する画像形成データから少なくとも一つのデータがそれぞれ出力される、
レーザービームのパワーをｋ御する、該パワーは少なくとも出力された画像形成データを利用して、レーザービームの照射位置がそれぞれの画素上を通過する期間において前記高い強度あるいは低い強度に制御される、
ことを特徴とする光ディスクへ画像を形成する方法。
【請求項９】
「行」と「列」からなる行列を導入することによって作成された画像形成データであって、該行列の「行」は、光ディスクの円周(tangential)方向に相当し、「列」は、光ディスクの半径方向に相当し、前記「行」は第１の幅を有し、前記「列」は１周に第３の数配列され、画像形成データの作成は、前記行列の要素の一つ一つを画素とみなし、前記光ディスクに配置される画像と画素とを対応付けて、画素に対応する画像の階調を抽出して作成されることを特徴とする画像形成データを用いて、高い強度のレーザービームの照射を受けると変色し低い強度のレーザービームの照射を受けても変色しない画像記録層を有する光ディスクの該加増記録層へレーザービームを照射して画像を形成することができる光ディスクへ画像を形成する装置であって、
レーザービームの照射位置を前記第１の幅より大きい幅を有する振幅で半径方向に振動させる手段と、
画像形成データを受け取り、受け取った画像データをから列毎に前記振幅に含まれる画素のそれぞれに対応する画像形成データから少なくとも一部のデータをそれぞれ出力する手段と、
出力された画像形成データの一部を少なくとも利用して、レーザービームの照射位置がそれぞれの画素上を通過する期間においてレーザービームのパワーを前記高い強度あるいは前記低い強度のいずれかに制御する手段
を有することを特徴とする光ディスクへ画像を形成する装置。
【発明の詳細な説明】
【技術分野】
【０００１】
本発明は、光ディスクの記録層に文字や絵画などの画像を形成する光ディスクヘ画像を形成する装置に関する。
【背景技術】
【０００２】
従来、ＣＤ−ＲやＣＤ−ＲＷといったデータを記録可能な光ディスクのデータ記録面またはレーベル面に、文字や絵画などの画像を形成する画像形成装置に関する発明が開示されている（例えば、特許文献１参照。）。
【特許文献１】特開２００４−５８４８公報
【発明の開示】
【発明が解決しようとする課題】
【０００３】
特許文献１には、一実施形態として光ディスクへの画像形成装置が、画像を形成する際に画像の１行分の幅で光ピックアップを振動させながら光ディスクの感熱層にレーザー光線を照射して、７周回毎に光ピックアップを画像の１行分移送させる処理を繰り返して、８階調の画像を形成することが記載されている。ところが、この画像形成装置では、上記のように画像を形成する際に、光ピックアップから照射するレーザー光線を画像の１行分の幅で振動させて、１行ずつ光ディスクに画像を形成するので、移送誤差などにより行間に隙間が発生する。
【０００４】
そこで、本発明は、上記の問題点を解決して、光ディスクに形成した画像に隙間が発生するのを防止でき、さらに高品位な画像を形成できる光ディスク画像形成装置を提供することを目的とする。
【課題を解決するための手段】
【０００５】
この発明は、上記の課題を解決するための手段として、以下の構成を備えている。
【０００６】
（１）高い強度のレーザー光線に反応して変色し、低い強度のレーザー光に反応しない記録層を有する光ディスクを回転させる回転手段と、
前記光ディスクの回転周回を数え、周回数を表す周回数信号を出力し、第１の数の周回が終了するとリセットされ、また、第２の数の周回が終了すると移送を指示する移送信号を発する周回カウンタと、
画像形成データ作成手段であって、「行」と「列」からなる行列を導入し、前記「行」は、光ディスクのトラック(tangential)方向を表し、前記「列」は、光ディスクの半径方向を表し、前記「行」は第１の幅を有し、前記「列」は１周に第３の数配列され、前記行列の要素の一つ一つを画素とみなし、前記光ディスクに形成する画像と前記画素とを対応付けて、画素に対応する画像の階調を表す画像形成データを作成する画像形成データ作成手段と、
高い強度のレーザー光線あるいは低い強度のレーザー光線を前記記録層に照射する光ピックアップと、
前記レーザー光線を第１の幅より大きい第３の幅を有する振幅で列方向に振動させる、かつ、周回毎に照射軌跡を異ならしめる振動信号を光ピックアップに供給する振動信号発生器と、
前記周回カウンタが発した移送信号に応じて前記レーザー光線の振動中心を半径方向に第１の幅移動させる移送手段と、
前記光ディスクの回転量に応じて「列」に対応した信号を出力する列信号出力と、
第１の幅と振動信号の振動量とから前記振幅に含まれる「行」に対応する信号を出力する行信号出力と、
レーザー光線の前記振幅に含まれる画素の階調を列信号に応じて出力する階調出力手段と、
画素の階調と周回数とに応じて前記高い強度または低い強度のレーザー光線を前記光ピックアップに前記記録層ヘを照射させる規則を有し、前記行信号出力手段の出力と前記階調出力手段の出力とから特定される画素の階調と、前記周回カウンタの周回数信号とに応じて前記規則にしたがって光ピックアップに照射させるレーザー光線の強度を制御するパワー制御手段と、
を有することを特徴とする。
【０００７】
この構成においては、光ディスクへ画像を形成する装置は、画像形成データ作成手段に、光ディスクのトラック方向を「行」、光ディスクの半径方向を「列」とする行列を導入し、行列の要素の一つ一つを画素とみなして、光ディスクに形成する画像と画素とを対応付けて画像形成データを作成する。そして、レーザー照射手段から照射するレーザー光線を、第３の幅で列方向に振動させ、周回毎に照射軌跡を異ならしめて、周回カウンタがリセットされる第１の周回毎に、レーザー照射手段を前記光ディスクの半径方向に、行の幅ずつ移送する。また、レーザー照射手段から照射するレーザー光線の振幅に応じた行数分の画像形成データを読み出して、周回計数手段が計数する周回数、列信号出力手段が出力する列信号、及び行信号出力手段が出力する行信号に基づいて、各画素の濃度情報に応じたレベルで、周回毎に光ピックアップからレーザー光線を照射させる。
【０００８】
したがって、隣りの行と隙間が空くことなくレーザー光線の軌跡を形成することができるので、隙間が発生したようには見えない画像を光ディスク上に形成できる。また、光ディスクに画像を形成する際に、画像の列毎及び行毎にパワーを制御してレーザー光線を照射するので、画像の各画素の濃度を適正に制御することができ、画像の見え方が変化することなく、はっきりとした画像を光ディスクに形成することができる。例えば、レーザー光線を、画像の３行分の振幅で振動させて、１周回〜７周回でレーザー光線を照射し、８週回目にレーザー光線の振動中心を移送するようにして、８周回毎にレーザー光線の振動中心を画像の１行分外周側に移送する構成とした場合には、各画素にはレーザー光線を２１回照射できるので、画素毎にレーザー光線のレベルを制御することで、最大２２階調の画像を光ディスクの変色層に形成できる。
【０００９】
（２）前記移送手段は、第２の数番目の周回終了から第１の数番目の周回終了までの間にレーザー光線の振動中心を第１の幅移送することを特徴とする。
【００１０】
この構成においては、第２の数番目の周回終了から第１の数番目の周回終了までの間に、レーザービームの振動中心を第１の幅だけ移送する。第１の数の周回で１行分の画像形成及びレーザー光線の振動中心の移送を行うように設定すると、１周回から第２の数番目の周回までの間に画像形成を行うことができ、第２の数番目の階調数の画像を形成できる。
【００１１】
（３）画像形成データを作成する画像形成データ作成手段であって、「行」と「列」からなる行列を導入し、前記「行」は、光ディスクのトラック(tangential)方向を表し、前記「列」は、光ディスクの半径方向を表し、前記「行」は第１の幅を有し、かつ第２の幅を有する第２の数の副行からなり、前記「列」は１周に第３の数配列され、前記行列の要素の一つ一つを画素とみなし、前記光ディスクに形成する画像と前記画素とを対応付けて、画素に対応する画像の階調を所定の規則にしたがってパワーレベルをあらわすコードデータに変換し、列と副行とに対応する副要素にそれぞれ配列し、副要素をセクターに対応させ該コードデータを有するセクターデータの連続体である画像形成データを作成する画像形成データ作成手段と、
高い強度のレーザー光線に反応し低い強度のレーザー光線に反応しない記録層を有する光ディスクを回転させ、第３の数のセクターデータが処理されるのに要する時間と１回転に要する時間とが同一となるように回転させる回転手段と、
前記高い強度または低い強度のレーザー光線を前記記録層に照射する光ピックアップと、
前記光ディスクの回転周回を数え、第１の数の周回が終了するとリセットされ、また、第２の数の周回が終了すると移送を指示する移送信号を発する周回カウンタと、
レーザー光線を第１の幅より大きい第３の幅を有する振幅で列方向に振動させる、かつ、周回毎に照射軌跡を異ならしめる振動信号を光ピックアップに供給する振動信号発生器と、
前記周回カウンタが出力した移送信号に応じてレーザー光線の振動中心位置を半径方向に第１の幅移動させる移送手段と、
第１の幅と振動信号の振動量とから前記振幅に含まれる「行」に対応する信号を出力する行信号出力手段と、
前記振幅内の「行」に含まれるセクターデータであって、第１の数と第３の数の積である第４の数のセクターだけ離れたセクターデータ同士を同時に出力する画像形成データ出力手段と、
前記画像形成データ出力の出力と前記行信号出力の出力とに応じて前記熱に反応する層が変化する高い強度か変化しない低い強度のいずれかで前記光ピックアップに前記熱に反応する層にレーザー光線を照射させるパワー制御手段と、
を有することを特徴とする。
【００１２】
この構成においては、光ディスクへ画像を形成する装置は、画像形成データ作成手段に、光ディスクのトラック方向を「行」、光ディスクの半径方向を「列」とする行列を導入し、行列の要素の一つ一つを画素とみなして、光ディスクに形成する画像と画素とを対応付けて、画素に対応する画像の階調を所定の規則にしたがってレーザー光線の強度レベルを表すコードデータに変換し、列と副行とに対応する副要素にそれぞれ配列し、副要素をセクターに対応させ該コードデータを有するセクターデータの連続体である画像形成データを作成する。そして、レーザー照射手段から照射するレーザー光線を、行の幅よりも大きい振幅で列方向に振動させ、周回毎に照射軌跡を異ならしめて、周回カウンタがリセットされる第１の周回毎に、レーザー照射手段を前記光ディスクの半径方向に、行の幅ずつ移送する。また、レーザー照射手段から照射するレーザー光線の振幅に応じた行数分の画像形成データを読み出して、周回計数手段が計数する周回数、及び行信号出力手段が出力する行信号に基づいて、各画素の濃度情報に応じたレベルで、周回毎に光ピックアップからレーザー光線を照射させる。さらに、回転手段は、第３の数のセクターデータが処理されるのに要する時間と１回転に要する時間とが同一となるように光ディスクを回転させ、画像形成データ出力手段は、振幅内の「行」に含まれるセクターデータであって、第１の数と第３の数の積である第４の数のセクターだけ離れたセクターデータ同士を同時に出力する。
【００１３】
したがって、隣りの行と隙間が空くことなくレーザー光線の軌跡を形成することができるので、すじが発生したようには見えない画像を光ディスク上に形成できる。また、光ディスクに画像を形成する際に、画像の列毎及び行毎にパワーを制御してレーザー光線を照射するので、画像の各画素の階調を適正に制御することができ、画像の見え方が変化することなく、はっきりとした画像を光ディスクに形成することができる。また、画像形成データとして、各行セクターデータを順に接続したものを用いるので、周回数や列信号を用いずに光ディスクに画像を形成できるので、光ディスク画像形成装置の構成を簡素化することが可能となる。
【００１４】
（４）前記移送手段は、第２の数番目の周回終了から第１の数番目の周回終了までの間に、レーザー光線の振動中心を第１の幅移送することを特徴とする。
【００１５】
この構成においては、（２）と同様の効果を得ることができる。
【００１６】
（５）前記画像形成データは、第２の数番目の周回終了から第１の数番目の周回終了までの間のセクターデータが低い強度を表すコードデータとなっていることを特徴とする。
【００１７】
この構成においては、第２の数番目の周回終了から第１の数番目の周回終了までの間に、移送手段によりレーザー光線の振動中心が第１の幅だけ移送される。したがって、この間のセクターデータを低い強度レベルに設定しておくことで、光ディスクに形成する画像の階調に影響を及ぼすことなく、レーザー光線の振動中心を移送することができる。
【００１８】
（６）レーザービームの半径方向の振幅に含まれる最も外側の行として描画される場合から最も内側の行として描画される場合にわたって、それぞれの場合に対応するコードデータがセクターに含まれており、前記パワー制御手段は、それぞれの場合に対応するコードデータと前記行信号出力の出力とに応じて前記高い強度または低い強度のレーザー光線を前記光ピックアップに前記記録層へ照射させることを特徴とする。
【００１９】
この構成においては、レーザービームの半径方向の振幅に含まれる最も外側の行として描画される場合から最も内側の行として描画される場合にわたって、それぞれの場合に対応するコードデータがセクターに含まれている。ここで、コードデータはレーザー光線の強度レベルを表す。したがって、セクターデータを用いて光ディスクに画像を形成した場合に、画像の各画素の階調を適正に制御することができ、画像の見え方が変化することなく、はっきりとした画像を光ディスクに形成することができる。
【００２０】
（７）第１の数と第２の数が同じであることを特徴とする。
【００２１】
この構成においては、第１の数と第２の数とを同じ値に設定する。第１の数と第２の数とを同じ値であると、周回カウンタがリセットされるのと、周回カウンタが移送信号を発するのと、が同時になるが、光ディスクに形成する画像の各行の幅やレーザー光線の振動中心をすばやく移送する場合には、光ディスクに画像を問題なく形成することができる。
【００２２】
（８）「行」と「列」からなる行列を導入することによって画像形成データを作成し、該行列の「行」は、光ディスクの円周(tangential)方向に相当し、「列」は、光ディスクの半径方向に相当し、前記「行」は第１の幅を有し、前記「列」は１周に第３の数配列され、前記画像形成データは、前記行列の要素の一つ一つを画素とみなし、前記光ディスクに配置される画像と画素とを対応付けて、画素に対応する画像の階調を抽出して作成される、
レーザービームを光ディスクの画像記録層へ照射し、該レーザービームの照射位置は前記第１の幅より大きい幅を有する振幅で半径法歩行に振動され、該画像記録層は高い強度のレーザービームの照射を受けると変色し、低い強度のレーザービームの照射を受けても変色しない、
画像形成データを出力し、該画像形成データは列毎に前記振幅に含まれる画素のそれぞれに対応する画像形成データから少なくとも一つのデータがそれぞれ出力される、
レーザービームのパワーをｋ御する、該パワーは少なくとも出力された画像形成データを利用して、レーザービームの照射位置がそれぞれの画素上を通過する期間において前記高い強度あるいは低い強度に制御される、
ことを特徴とする。
【００２３】
この構成においては、（１）と同様の効果を得ることができる。
【００２４】
（９）「行」と「列」からなる行列を導入することによって作成された画像形成データであって、該行列の「行」は、光ディスクの円周(tangential)方向に相当し、「列」は、光ディスクの半径方向に相当し、前記「行」は第１の幅を有し、前記「列」は１周に第３の数配列され、画像形成データの作成は、前記行列の要素の一つ一つを画素とみなし、前記光ディスクに配置される画像と画素とを対応付けて、画素に対応する画像の階調を抽出して作成されることを特徴とする画像形成データを用いて、高い強度のレーザービームの照射を受けると変色し低い強度のレーザービームの照射を受けても変色しない画像記録層を有する光ディスクの該加増記録層へレーザービームを照射して画像を形成することができる光ディスクへ画像を形成する装置であって、
レーザービームの照射位置を前記第１の幅より大きい幅を有する振幅で半径方向に振動させる手段と、
画像形成データを受け取り、受け取った画像データをから列毎に前記振幅に含まれる画素のそれぞれに対応する画像形成データから少なくとも一部のデータをそれぞれ出力する手段と、
出力された画像形成データの一部を少なくとも利用して、レーザービームの照射位置がそれぞれの画素上を通過する期間においてレーザービームのパワーを前記高い強度あるいは前記低い強度のいずれかに制御する手段を有することを特徴とする。
【００２５】
この構成においては、（１）と同様の効果を得ることができる。
【発明の効果】
【００２６】
本発明によれば、光ディスクに画像を形成する際に、光ピックアップから照射するレーザー光線を、光ディスクに形成する画像の１行の幅よりも大きな振幅で周回毎に照射軌跡を異ならしめて振動させるとともに、所定周回毎に１行分ずつ光ピックアップを半径方向に移送させて画像形成を行うので、隣りの行と隙間が空くことなくレーザー光線の軌跡を形成することができる。これにより、すじが発生したように見えない画像を光ディスクに形成することができる。
【００２７】
また、光ディスクに画像を形成する際に、画像の列毎及び行毎に、つまり画素毎にパワーを制御してレーザー光線を照射するので、画像の各画素の濃度を適正に制御することができ、画像の見え方が変化することなく、はっきりとした画像を光ディスクに形成することができる。
【発明を実施するための最良の形態】
【００２８】
本発明の実施形態に係る光ディスクヘ画像を形成する装置は、光ディスクヘ情報を記録する機能、及び、光ディスクから情報を読み出す機能を通常の光ディスク記録再生装置と同様に有している。さらに、光ディスクヘ画像を形成する機能を備えている。本発明の実施例に係る光ディスクヘ画像を形成する装置は、高い強度のレーザービームが照射されると変色し低い強度のレーザービームが照射されても変色しない画像記録層を有する光ディスクヘ、画像に応じてパワー制御しながら画像記録層ヘレーザービームを照射して画像を形成できる。
【００２９】
本発明の実施形態に係る光ディスクヘ画像を形成する装置は、光ディスクによってなんら限定されない。画像記録層を有する光ディスクは片面型でも張り合わせ型でも良い。ＣＤのような片面型光ディスクのようにレーベル面表面付近に画像記録層を有するものであっても良いし、ＤＶＤのような張り合わせ型光ディスクのように厚さ方向の中央付近に画像記録層を有するものであっても良い。
【００３０】
また、本発明の光ディスクヘ画像を形成する装置は、光ディスクヘ画像を形成する際に形成した画像に隙間が生じないようにレーザー光線を照射することで画像に「すじ」が見えるという不具合を防止できる。具体的には以下のようにして、画像に隙間が発生することから防止する。
【００３１】
＜第１の実施例＞
図１は、本発明の実施形態に係る光ディスクヘ画像を形成する装置（以下、ドライブと称する。）が光ディスクヘ画像を形成する際に照射したレーザービームの照射軌跡を表す図である。図１において、行と列は光ディスクに仮想的に配置した行列を平面的に展開したものである。光ディスクの周方向を行、半径方向を列としている。行は半径を分割し、それぞれ第１の幅を有するように配置される。列は周を第３の数で分割した幅を有するように配置される。列幅は光ディスク上では角度で表され、記録動作上は時間で表される。行列の要素は画素に対応する。光ディスク上に文字や写真などの画像を配置したときに、それぞれの画素範囲と画像とを対応付けて画像から階調を抽出し、画像形成データとする。この画像形成データの階調に応じてレーザービームを高い強度または低い強度で照射すると画像を形成できる。図１において、レーザービームの振動中心Ｃｅは行ｍの中心に位置している。なお、右側をはみ出させて描いてあるが、レーザービームの振動中心Ｃｅを視覚的に強張した表現である。レーザービームは半径方向に振動させられ、その振幅は内側と外側の行にわたる振幅となっている。説明の簡略化のため内側１行外側１行、合計３行にわたる例を表している。光ディスクの回転に伴い、レーザービームは３行幅の振幅で振動しながら行方向へ列を進んでいく。レーザービームの振動の位相は１周毎に位相シフタ（図示無し。）によって所定量シフトされて、所定量ずつ進んでまたは遅れていく。あるいは、１周に含まれる振動数に所定量の端（はした）ができるように振動数と回転速度との関係を設計しても良い。１行につき第１の数の周回を利用するものとし、そのうち、第２の数の周回を描画に用い、その余をレーザービームの振動中心を移送する期間として用いる。レーザービームの振動中心は移送によって第１の幅移送される。説明の簡略化のため、図１においては、１行に８周回を利用し、そのうち７周回を描画に用い、第８周回を移送に用いている。すなわち第１の数が８であり、第２の数が７である例となっている。位相シフト量または端は２π／８に設定されている。そして再び、次行の第０列から描画を開始する。以降、同様に繰り返す。
【００３２】
図２は、レーザービームの振動中心位置を、第ｍ−１行中心に位置させて第２の数の周回描画し、第ｍ行の中心へ位置させて第２の数の周回描画させて、そして第ｍ＋１行の中心へ位置させて第２の数の周回描画した状態を表す図である。まず、このように描画範囲を一部重ねて描画することにより、隙間の発生を防止することができる。次に、第ｍ行に着目すると、第ｍ行は、第ｍ−１行の描画時、第ｍ行の描画時、そして第ｍ＋１行の描画時に描画される。よって、３重に描画される。すなわち、描画開始周と終了周を例外として、全ての行は３重に描画され得るのである。
【００３３】
図３は、画素（ｍ，ｎ）が３重に描画される様子を個別の描画の重ね合わせとして説明する図である。図３（Ａ）は、レーザービームの振動中心が第ｍ−１行の中心に位置する第ｍ−１行の描画時に、画素（ｍ，ｎ）が描画され得る描画軌跡を表す。図３（Ｂ）は、第ｍ行の描画時に描画され得る描画軌跡を表す。そして、図３（Ｃ）は、第ｍ＋１行の描画時に描画され得る描画軌跡を表す。図３（Ｄ）は、３つの描画軌跡の合成を表す。それぞれの描画軌跡は全て異なり、画素が緻密に描画されることが理解される。すなわち、レーザービームの振動幅が３行、描画周回が７周であれば、１つの画素は最小描画数０から最大描画数２１までの２２階調のいずれかで描画され得る。
【００３４】
図４は、ある周回のレーザービームの照射軌跡とパワー制御との関係を表す図である。２２階調を実現するためには、レーザービームの強度をそれぞれの画素を通過する間、高い強度あるいは低い強度のいずれかに制御すれば良い。図４は、レーザービームの振動中心を第ｍ行中心に位置させて、レーザービームを３行幅で振動させて描画しているときのある周回での軌跡を表す。太線は画像記録層を変色させる高い強度、細線は画像記録層を変色させない低い強度を表す。周回数と画素の階調とに基づいて決められた規則に応じてレーザービームのパワーが高い強度または低い強度に制御される。
【００３５】
図５は、周回数と画素の階調とに基づいたパワー制御規則の一例を表す。図５においては、それぞれの行のパワー制御規則が異なっていることに着目すべきである。現在、レーザービームの振動中心が位置する行が第ｍ行であるとする。そのとき、内側の行が第ｍ−１行となり、外側の行が第ｍ＋１行となる。そして、振動中心の移送が行われると役を交代する。第ｍ行は第ｍ−１行となり、第ｍ＋１行は第ｍ行となるのである。すなわち、振動中心の位置に応じて異なるパワー制御規則が適用されるのである。それぞれの行は、自分が第ｍ＋１行に相当するときは第ｍ＋１行のパワー制御規則と階調と周回数とに従って描画され、第ｍ行に相当するときは第ｍ行のパワー制御規則と階調と周回数に従って描画され、そして第ｍ−１行になったときは第ｍ−１行のパワー制御規則と階調と周回数に従って描画されるのである。なぜこのような役交代が必要か。それは役交代がなければ階調は８階調に減ってしまうからである。
【００３６】
図６は、ドライブの主要な特徴を表すブロック図である。光ディスクヘ情報を記録する機能、及び、光ディスクから情報を読み出す機能に係る構成は公知の構成であるから説明を省略する。画像を形成する機能に係る新規な構成を図示し、説明する。画像記録層を有する光ディスク２００は画像記録層を光ピックアップ１００に向けて図示しないターンテープルに設置される。光ディスク２００は回転器１３０によって一定角速度で回転される。回転器１３０は周波数発生器を内蔵しており、１回転につき所定数のパルスを出力する。周回カウンタ１３２は回転器１３０から出力されたパルスを数え、所定数に達すると周回数を示す信号をパワー制御回路１６４へ出力する。また、周回カウンタ１３２は第２の数の周回が終了すると移送を指示する移送信号を移送器１４０へ出力する。また第１の数の周回が終了するとリセットし、数え直す。ここでは第１の数は８であり、第２の数は７である例を説明する。移送器１４０は移送信号を受信するとレーザービームの振動中心を第１の幅だけ光ディスク２００の半径方向外側へ移送する。ここでは第１の幅は行幅である。移送に際し、光ピックアップ１００を移送しても良いし、光ピックアップ１００が有する対物レンズ（図示無し。）を移送しても良い。移送器１４０は、対物レンズを移送するときには、１行幅に相当するレベルＤＣをアクチュエータ（図示は両鏃矢印）に与える。いずれかを移送するあるいは両方を併用して移送するかは両者の移送能力に依存する。光ピックアップ１００はレーザー発振源（レーザーダイオード等、図示無し。）を有する。パワー制御回路１６４から供給される電流のレベルに応じた強度のレーザービームを放射する。パワー制御回路１６４からは高い強度の電流または低い強度の電流が供給される。振動信号発生器１３８から供給される振動信号に応じて対物レンズを振動させることによってレーザービームは半径方向に振動される。列信号出力は回転器１３０から出力されるパルス信号を所定の逓倍率で逓倍した信号である列信号を出力する。列信号は光ディスク２００の１回転につき第３の数のパルスからなる。パルスのそれぞれは列に対応し、タイミング信号となる。列信号はパワー制御回路１６４と３行メモリ１３６ヘ出力される。画像形成データ生成回路１５８は画像形成データを出力する。具体的には「行」と「列」からなる行列を導入し、「行」は、光ディスク２００のトラック(tangential)方向を表し、「列」は、光ディスク２００の半径方向を表し、「行」は第１の幅を有し、「列」は１周に第３の数配列され、行列の要素の一つ一つを画素とみなし、前記光ディスクに形成する画像と画素範囲とを対応付けて、画素に対応する画像の階調を抽出し、画像形成データを作成する。画像形成データ生成回路１５８はドライブ３００に内蔵されている。また、ドライブ３００がホストコンピュータと光ディスク記録装置とからなる場合は、ホストコンピュータであってよい。３行メモリ１３６は、レーザービームの半径方向の振幅に含まれる行の階調データを列信号に応じて出力する回路である。レーザービームの振幅が３行幅であれば、第ｍ＋１行、第ｍ行、そして第ｍ−１行の画素の階調データをそれぞれ列信号に応じて出力する。したがって、ある列ｎの画素（ｍ＋１，ｎ）、画素（ｍ，ｎ）、そして画素（ｍ−１，ｎ）の階調データがそれぞれ列信号に応じて出力される。３行メモリ１３６は１行分ずつ遅れてデータを出力する３つのメモリ、あるいは、３つのリードポインタを用いて１行分ずつ隔たったデータを出力する１つのメモリなどで構成できる。３行メモリ１３６の出力はパワー制御回路１６４へ出力される。振動信号発生器１３８はレーザービームを半径方向に振動させる振動信号を光ピックアップ１００ヘ出力する。光ピックアップ１００はアクチュエータ（図示は両鏃矢印）に振動信号を供給し、対物レンズを半径方向に振動させてレーザービームを光ディスク２００の半径方向に振動させる。振動信号発生器１３８は移相シフタ（図示しない）を有することができる。周回カウンタ１３２または回転器１３０からの信号を利用して、１回転毎に所定量振動信号の位相をシフトする。この構成により、光ディスク２００ヘ照射されるレーザービームの軌跡を異ならせることができる。あるいは、振動数を調整して１回転につき端のでる振動数とすることで同様に光ディスク２００ヘ照射されるレーザービームの軌跡を異ならせることができる。さらにドライブ３００に製造誤差がある場合は調整できる。
【００３７】
行信号出力部１３９は、レーザービームの振動振幅に含まれる行について、各行毎にレーザービームが通過する期間を表す信号を出力する回路である。本実施例においては、レーザービームが第ｍ＋１行を通過する期間を表す信号、第ｍ行を通過する期間を表す信号、そして第ｍ−１行を通過する期間を表す信号をそれぞれ出力する構成として、第１比較器１７０、第２比較器１７１、そしてＮＯＲゲート１７２を有している。第１比較器１７０は振動信号のレベルと参照レベルとを比較して前者が上回っている期間ＨＩＧＨとなる信号をパワー制御回路１６４へ出力する。参照レベルは第ｍ＋１行と第ｍ行の境界に相当するレベルである。第２比較器１７１は振動信号のレベルと参照レベルとを比較して前者が下回っている期間ＨＩＧＨとなる信号をパワー制御回路１６４へ出力する。参照レベルは第ｍ行と第ｍ−１行の境界に相当するレベルである。ＮＯＲゲート１７２は第１比較器１７０の出力と第２比較器１７１の出力とを否定論理和演算するゲート回路である。３者の出力はそれぞれレーザービームが第ｍ＋１行を通過する期間を表す信号、第ｍ−１を通過する期間を表す信号、そして行第ｍ行を通過する期間を表す信号となる。
【００３８】
図７は、パワー制御回路の詳細を表す図である。図８は、タイミングチャート、及び照射軌跡を表す図である。パワー制御回路１６４はパルス発生器１８０、ＡＮＤゲート１８２，１８４，１８６、ＯＲゲート１８８、ＡＮＤゲート１９０、そして電流源１９２を有している。パルス発生器は図５で紹介したパワー制御規則を有しており、周回カウンタ１３２から受信した周回数信号とパワー制御規則とからそれぞれの行のパワーレベルを決定し、列信号に応じて１列に相当するパルスをそれぞれのレベルで発生する回路である。図８（Ａ）に図示されたタイミングチャートを併用してパワー制御回路の動作を説明する。まず、レーザービームの通過する期間に応じて行信号出力部１３９から第ｍ＋１行、第ｍ行、そして第ｍ−１行を通過する期間を表す行信号がそれぞれ信号１，２，３としてパワー制御回路１６４へ出力される。列信号のタイミングで第ｍ＋１行、第ｍ行、そして第ｍ−１行の階調データがパワー制御回路１６４へ出力される。それぞれ階調値は１７，４，１０とする。パルス発生器１８０は周回カウンタ１３２から受信した周回数信号と階調値とに応じて信号レベルを決定する。周回数信号は第３周を表す信号であったとする。第ｍ＋１行パワー制御規則によると階調値１７と周回数３の場合はＯＦＦであるから、決定される信号レベルはＬＯＷである。同様に、第ｍ行パワー制御規則によると階調値４と周回数３の場合はＯＮであるから、決定される信号レベルはＨＩＧＨである。また、第ｍ−１行パワー制御規則によると階調値１０と周回数３の場合はＯＦＦであるから、決定される信号レベルはＬＯＷである。列信号のタイミングで１列に相当する期間、それぞれのレベルの信号が出力される。第ｍ＋１行用に１列に相当する期間ＬＯＷレベルである信号が信号４として出力される。第ｍ行用に１列に相当する期間ＨＩＧＨレベルである信号が信号５として出力される。第ｍ−１行用に１列に相当する期間ＬＯＷレベルである信号が信号６として出力される。信号１と信号４はＡＮＤゲート１８２で論理積演算され信号７となる。信号２と信号５はＡＮＤゲート１８４で論理積演算され信号８となる。信号３と信号６はＡＮＤゲート１８６で論理積演算され信号９となる。信号７，８，９はＯＲゲート１８８で論理和演算されて信号１０となる。信号１０は１列の期間中それぞれの行に応じたレベルの信号となる。信号１０は記録用信号１１とともにＡＮＤゲート１９０で論理積演算されて信号１２となる。記録用信号１１は別途用意された発振器の出力した信号でも良いし、内部のＰＬＬ回路などで生成されたクロック信号を転用したものでも良い。あるいは階調データをそのまま、あるいは所定のエンコーダなどを通した信号を用いても良い。信号１２は電流源１９２へ供給される。電流源１９２は信号１２に応じて高い強度の電流または低い強度の電流を光ピックアップ１００ヘ供給する。光ピックアップ１００は電流のレベルに応じた強度のレーザービームを光ディスク２００ヘ照射する。図８（Ｂ）は照射痕、すなわち照射軌跡を表す。ここでは照射軌跡は画素（ｍ＋1，ｎ）、（ｍ，ｎ）、(ｍ−１，ｎ）を通過するが、画素（ｍ，ｎ）のみが高い強度で描画される結果となる。以上の動作を第���の数の列それぞれについて繰り返し、また、第２の数の周回数繰り返すことで、それぞれの画素は、０〜２１階調のいずれかの階調の１／３だけ描画される。３行メモリ１３６は第ｍ−１行に相当するデータを破棄し、第ｍ＋２行に相当するデータを記憶する。それぞれの行について移送と描画を繰り返すことによってそれぞれの画素は３重に描画され、０〜２１階調いずれかの階調に描画される。
【００３９】
＜第２の実施例＞
第１実施例は、１行の画像形成データを８回繰り返して使うなど、比較的複雑であり、必要な回路も多く、コストがかかる。第２実施例は、そのような複雑さを解消する。第２実施例では列信号の機能や周回カウンタの計数機能を画像形成データに持たせるようにしたものである。
【００４０】
図９は、画像形成データヘの変換例を表す図である。第１実施例では１つの画素に付き１つの階調データとなっており、階調データと周回数との組み合わせを用いていた。第２実施例では階調データと周回数との組み合わせの一つ一つを画像形成データの要素とする。図９（Ａ）の（１）は１画素を表す。図９（Ａ）の（２）に示すように、１画素を第２の数の副面素に分割する。第２実施例では１行を７周回利用して描画するので第２の数は７となる。それぞれの副画素は第１実施例における階調データと周回数との組み合わせの一つ一つに相当する。組み合わせの一つ一つをコード変換し、変換されたコードを含むセクターデータとする。図９（Ａ）の（３）に示すように、レーザービームの振動中心を移動させるための期間としてセクターを１つ付加する。したがって画像形成データ上は８セクターが１画素に相当する。
【００４１】
図９（Ｂ）はコード変換の例を表す図である。図９（Ｂ）の（１）はディスク上の画素を表す。画像と画素範囲とを対応付けると網掛け程度の濃度であったとする。濃度から階調が判別されて階調値５が得られたとする（図９（Ｂ）の（２））。さらに、図５に紹介した第ｍ行パワー変換規則に基づいて、階調値５は第１周から順に対応して０，０，１，１，１，１，１となる。最後に移送用の低い強度を表す０を付加して、０，０，１，１，１，１，１，０となる。これらを順番に配列して画像形成データ上の１画素となる（図９（Ｂ）の（３））。ここでは内側から外側へ向かって描画する場合であるのでコードは下から上へ向かって配置される。配置の向きは描画進行方向に依存する。このままでは、８階調しか達成できない。２２階調へ拡張するためには、さらに、第ｍ＋１行パワー制御規則と第ｍ−１行パワー制御規則を反映させる必要がある。第２実施例ではレーザービームの振動幅は３行にわたるのでコードデータは３ｂｉｔとする。ｂｉｔ数はレーザービームの振動幅に含まれる行数に依存する。
【００４２】
図９（Ｃ）は２２階調のためのデータ変換例を表す。図９（Ｃ）の（１）はディスク上の画素を表す。画素（ｍ＋１，ｎ）、画素（ｍ，ｎ）、画素ｍ−１，ｎ）を表す。画像と画素（ｍ，ｎ）の画素範囲とを対応付けると網掛け程度の濃度であったとする。濃度から階調が判別されて階調値２１が得られたとする。図９（Ｃ）の（２）は描画の寄与を表す。３つの振動軌跡は左からそれぞれ、レーザービームの振動中心が第ｍ−１行中心に位置しているときのある周回の軌跡の一部、同第ｍ行に位置するときのもの、同第ｍ＋１行に位置するときのものである。同様に左から第ｍ＋１行パワー制御規則、第ｍ行パワー制御規則、第ｍ−１行パワー制御規則に従う。それぞれを３ｂｉｔコードデータの第１ビット、第２ビット、第３ビットに対応させる。このようにして図５に紹介したパワー制御規則に基づいてコード化すると図９（Ｃ）の（３）のようになる。最後に移送期間として利用される低い強度を表すコードデータ“０００”が付加されている。
【００４３】
このようにして変換されたコードデータを含むセクターデータを副要素順に連続化して画像形成データが作成される。例えば、（０行０副行，０列）（０行０副行，１列）・・（０行１副行，０列）（０行１副行，１列）‥（０行７副行、０列）‥（１行０副行，０列）・‥である。
【００４４】
図１０は、本発明の第２実施形態に係るドライブの主要な特徴を表すブロック図である。第２実施例と第１実施例との主要な差異は先に説明した画像形成データを生成する画像形成データ生成回路１６０の生成プロセスと、全体を制御するためのクロック信号発生器１４８、及びパワー制御回路１６４の制御動作である。画像形成データの生成プロセスは既に説明済みである。次にクロック信号発生器１４８について説明する。クロック信号発生器１４８はクロック信号を回転系とデータ処理系とに供給する（必要に応じて記録系などにも供給する。）。光ディスク２００を回転させる回転器に１３０対して所定の周波数のクロック信号を参照クロック信号として供給する。クロック信号発生器１４８から出力される参照クロック信号と、回転器１３０が内蔵する周波数発生器から出力される信号と、を比較することにより光ディスク２００は一定回転数、すなわち、ＣＡＶ回転制御される。対してクロック信号発生器１４８は回転器１３０へ供給するクロック信号を所定逓倍または所定分周したクロック信号を画像形成データ生成器１６０やメモリ１６６〜１６８などへ動作クロックとして供給する。動作クロックの周波数は、１回転につき第３の数のセクターデータが処理される速度に調整されている。したがって回転系が参照クロック信号に従って動作し、データ処理系及び記録系が動作クロックにしたがって動作すれば、１回転につき第３の数のセクターデータが処理される。したがって、セクターデータの内容にしたがって描画処理を行うと、第１実施例において列信号を使った場合と同等の動作を実行できる。
【００４５】
画像形成データは第１メモリ１６６、第２メモリ１６７、第３メモリ１６８ヘ出力される。それぞれのメモリ１６６〜１６８ヘは所定数のセクターデータを隔てて出力される。例として、第１の数が８、すなわち１行に８周回を利用し、第３の数が８、すなわち１周に８列配置されている場合、第１の数と第３の数との積、すなわち８×８＝６４個のセクターデータを隔てて出力される。この構成により、それぞれのメモリ１６６〜１６８が動作クロックにしたがってデータを出力すると、レーザービームの振幅に含まれる行の、各行のそれぞれの周回に対応したセクターデータが出力される。例えば、第１メモリ１６６が副画素（ｍ−１行０副行、０列）に対応するセクターデータを出力し、第２メモリ１６７が副画素（ｍ行０副行、０列）に対応するセクターデータを出力し、第３メモリ１６８が副画素（ｍ＋１行０副行、０列）に対応するセクターデータを出力する。メモリの数はレーザービームの振幅に含まれる行の数に依存する。セクターデータの間隔は副行数と１周に配置される列数とに依存する。レーザービームの振動中心が所定の行の中心に位置したとき、所定の列においてレーザービームの半径方向の振幅に含まれる行のセクターデータを第１の数と第３の数との積（第４の数）だけ隔てて出力できれば良いので、複数のリードポインタを利用する１つのメモリであっても良い。
【００４６】
図１１は、第２の実施形態のパワー制御回路の詳細を表す図である。第１の実施形態のパルス発生器はパワー制御規則を有していたが第２の実施形態のパルス発生器は代わりにコード解析機能を有している。第１メモリ１６６から出力された第ｍ＋１行のセクターデータにはコードデータ“０ｘｘ”が含まれている。同様に第２メモリ１６７から出力された第ｍ行のセクターデータにはコードデータ“ｘ１ｘ”が含まれている。第３メモリ１６８から出力された第ｍ−１行のセクターデータにはコードデータ“ｘｘ０”が含まれている。（“ｘ”は“１”または“０”のいずれか）。パルス発生器１８１はそれぞれのセクターデータからコードデータを抽出し、解析する。第ｍ＋１行のコードデータからは第１ビットを抽出する。“０”である。第ｍ行のコードデータからは第２ビットを抽出する。“１”である。第ｍ−１行のコードデータからは第３ビットを抽出する。“０”である。パルス発生器１８１は動作クロックあるいはセクターデータの同期信号などを利用して、抽出したそれぞれのビットデータに応じたレベルの信号を生成する。信号の幅はセクターデータに相当する時間幅である。“１”に対してはＨＩＧＨレベル、“０”に対してはＬＯＷレベルの信号を生成する。それぞれの信号を、信号４、信号５、信号６とする。以降の信号処理は第１の実施例と同様である。したがって、結果は図８（Ａ），図８（Ｂ）と同様である。
【００４７】
ここで、以上の実施例において、第１の数と第２の数とは異なる値に設定した場合について説明したが、本発明はこれに限るものではなく他の値に設定することも可能である。例えば、第１の数と第２の数とを同じ値に設定することも可能である。光ディスク２００に形成する画像の各行の幅やレーザー光線の振動中心を移送する幅は実際には１０μｍ程度である。したがって、第１の数と第２の数とを同じ値に設定してもよい。第１の数と第２の数とを同じ値であると、周回カウンタがリセットされるのと、周回カウンタが移送信号を発するのと、が同時になるが、レーザー光線の振動中心の移送距離はわずかであるため、問題なく光ディスクに画像を形成することができる。
【図面の簡単な説明】
【００４８】
【図１】本発明の実施形態に係る光ディスクヘ画像を形成する装置が光ディスクヘ画像を形成する際に照射したレーザービームの照射軌跡を表す図である。
【図２】レーザービームの振動中心位置を、第ｍ−１行中心に位置させて第２の数の周回描画し、第ｍ行の中心へ位置させて第２の数の周回描画させて、そして第ｍ＋１行の中心へ位置させて第２の数の周回描画した状態を表す図である。
【図３】画素（ｍ，ｎ）が３重に描画される様子を個別の描画の重ね合わせとして説明する図である。
【図４】ある周回のレーザービームの照射軌跡とパワー制御との関係を表す図である。
【図５】周回数と画素の階調とに基づいたパワー制御規則の一例を表す。
【図６】ドライブの主要な特徴を表すブロック図である。
【図７】パワー制御回路の詳細を表す図である。
【図８】タイミングチャート、及び照射軌跡を表す図である。
【図９】画像形成データヘの変換例を表す図である。
【図１０】本発明の第２実施形態に係るドライブの主要な特徴を表すブロック図である。
【図１１】第２の実施形態のパワー制御回路の詳細を表す図である。
【符号の説明】
【００４９】
１００−光ピックアップ    １３０−回転器    １３２−周回カウンタ    １３６−３行メモリ    １４０−移送器    １４８−クロック信号発生器    １６０−画像形成データ生成器    １６４−パワー制御回路    １６６−第１メモリ    １６７−第２メモリ    １６８−第３メモリ    １７０−第１比較器    １７１−第２比較器    １７２−ＮＯＲゲート    １８０−パルス発生器    １８２，１８４，１８６，１９０−ＡＮＤゲート    １８８−ＯＲゲート    １９２−電流源    ２００−光ディスク    ３００−ドライブ
【図１】
2007035210.tif 000003
【図２】
2007035210.tif 000004
【図３】
2007035210.tif 000005
【図４】
2007035210.tif 000006
【図５】
2007035210.tif 000007
【図６】
2007035210.tif 000008
【図７】
2007035210.tif 000009
【図８】
2007035210.tif 000010
【図９】
2007035210.tif 000011
【図１０】
2007035210.tif 000012
【図１１】
2007035210.tif 000013